(57)【要約】【課題】地震の強い横揺れがあってもずり落ちることのないのし瓦を提供する。【解決手段】のし瓦２５の裏面中央に割り溝２３を形成すると共に、割り溝２３の両側に割り溝２３と直交する一対のリブ１７を左右対称形に、かつ長手方向の前後に一定の間隔を存して並設し、瓦表面にリブ１７に対応する箇所の両側に位置してのし互２５の横ずれを規制する突部２２を左右に一対ずつ対称形に突設する。リブ１７にはまた突部２２が嵌合可能な凹部２６が形成される。のし積み時には割り溝２３で半割にしたのし互２５をリブ１７の凹部２６に突部２２が嵌合するようにして位置をずらし、段積みする。リブ８は長手方向には圧縮強度が大であるため地震の強い横揺れがあっても破損してずり落ちることがない。【選択図】図８
2005054439.tif 000002
【特許請求の範囲】
【請求項１】
表面又は裏面の少なくとも一方にリブを１又は複数、縦方向に適宜の間隔を存して横方向に突設すると共に、他方に上記リブが対応する箇所に該リブが嵌合する凹部を瓦幅方向に１又は複数形成したことを特徴とするのし瓦。
【請求項２】
上記リブが左右に分断されて形成されることを特徴とする請求項１記載ののし瓦。
【請求項３】
表面又は裏面の少なくとも一方に横向きのリブを一又は複数、縦方向に適宜の間隔を存して突設すると共に、他方に上記リブが対応する箇所にリブの横方向の移動を規制する突部を上記箇所の両側に突設したことを特徴とするのし互。
【請求項４】
上記リブが左右に分断されて左右対称形に形成されると共に、上記突部が左右に分断されたリブに対応する箇所の両側に左右対称形をなして一対ずつ突設されることを特徴とする請求項３記載ののし瓦。
【請求項５】
上記リブに上記突部が嵌合可能な凹部が１又は複数適宜の間隔を存して形成されることを特徴とする請求項３記載ののし瓦。
【発明の詳細な説明】
【技術分野】
【０００１】
本発明は、地震の強い横揺れによってもずり落ちないのし瓦に関する。
【背景技術】
【０００２】
瓦葺き屋根の棟の施工は従来、棟両側の最上部の桟瓦間に粘土を載せ、その上に半分に割った半割りののし瓦を棟両側においてのし積みし、更にその上に雁振り瓦を両側ののし瓦に跨がるように載せ付けて行われており、のし瓦を半割にしないで棟に被さるようにのし積みする方法も行われている。
【０００３】
こうした棟は地震、ことに棟と直交する方向の揺れに対して弱く、被害を受け易い。すなわち地震の横揺れに対し、のし瓦がずれたり、ずり落ちたりする被害が発生し易い。半割れののし瓦の場合ことにそうである。
【０００４】
ずれ止め機能を備えたのし瓦も知られる。図１に示されるものがそうで、のし瓦１の裏面両側に凸条２を瓦長手方向（以下、「縦方向」という）に沿い、左右対称形に並設すると共に、表面両側に凸条２が嵌合する凹条３を同じく縦方向に左右対称形をなして並設し、のし積みする際には、裏面中央の割り溝４でのし瓦を半割にし、或いは半割にしないでそのまゝ積み重ね、凸条２に凹条３を嵌合させることによってのし瓦の位置決めを行い、位置ずれを防止している。
【０００５】
ずれ防止機能を備えたのし瓦としては他に、下記特許文献１に示されるように、比較的広幅の凸部をのし瓦表面に縦方向に突設すると共に、瓦裏面に凸部が嵌合する凹部を縦方向に形成し、のし積み時に凹部を凸部に嵌合させるようにしたものも知られる。
【特許文献１】特開２００３−１６６３１４号
【発明の開示】
【発明が解決しようとする課題】
【０００６】
のし積みされた図１に示されるのし瓦１は、強い横揺れの地震があると、凸条２が損壊し、その上に重ねられるのし瓦１がずり落ちるおそれがある。これに対し特許文献１に開示されるのし瓦は、凸部の強度が大で、強い横揺れの地震があっても凸部が損壊しにくいが、半割にして使用できるようになっていない。
【０００７】
本発明は、強い横揺れの地震によってもずり落ちることがなく、半割にして使用することもできるのし瓦を提供することを目的とする。  
【課題を解決するための手段】
【０００８】
請求項１に係わる発明ののし瓦は、表面又は裏面の少なくとも一方に瓦幅方向（以下、「横方向」という）のリブを１又は複数、瓦長手方向（以下、「縦方向」という）に適宜の間隔を存して突設すると共に、他方に上記リブが対応する箇所に該リブが嵌合する横方向の凹部を１又は複数形成したことを特徴とする。
【０００９】
請求項２に係わる発明ののし瓦は、請求項1に係わる発明の上記リブ及び凹部が左右に対称形に形成されることを特徴とする。
【００１０】
請求項３に係る発明ののし瓦は、表面又は裏面の少なくとも一方に横向きのリブを一又は複数、縦方向に適宜の間隔を存して突設すると共に、他方に上記リブが対応する箇所にリブの横方向の移動を規制する突部を上記箇所の両側に突設したことを特徴とし、
請求項４に係る発明ののし瓦は、請求項３に係る発明の上記リブが左右に分断されて左右対称形に形成されると共に、上記突部が左右に分断されたリブに対応する箇所の両側に左右対称形をなして一対ずつ突設されることを特徴とする。
【００１１】
請求項５に係る発明ののし瓦は、請求項３に係る発明のリブに上記突部が嵌合可能な凹部が１又は複数適宜の間隔を存して形成されることを特徴とする。
【発明の効果】
【００１２】
請求項１及び３に係わる発明によると、リブを凹部に嵌合させ、或いはリブの両側に突部が位置するように配置することによりのし瓦の位置決めが行われ、リブが凹部に嵌合し、或いはリブの両側に突部を配置した状態で強い横揺れがあり、リブの長手方向に強い力が加わってもリブは長手方向の圧縮強度が大であるため壊れにくく、したがってのし瓦のずり落ちが生じにくいこと、リブにより、のし瓦の強度が増し、割れにくくなること、リブは縦方向に細いため、半割にするのが容易であること、リブは凹部を設けた場合に比べ瓦の強度を損ねることがないこと等の効果を奏し、請求項２に係わる発明においては、のし瓦を半割にして使用するときには、リブのない中央部で割れ易くなる。
【００１３】
請求項５に係る発明によると、半割にしたのし互を横方向にずらせてのし積みする際、上積みされる瓦の突部を下側の瓦のリブに形成される凹部に嵌合させることにより半割ののし瓦の位置決めを行うことができると共に、瓦のずり落ちを生じにくくすることができる。
【発明を実施するための最良の形態】
【００１４】
図２は、本発明に係わるのし瓦６について示すもので、裏面には中央に割り溝７が形成されると共に、該割り溝７と直交する一対のリブ８が縦方向に一定の間隔を存して横方向に併設され、表面に上記リブ８が嵌合する横溝９をリブ８と対応する箇所に同じく一対、形成している。
【００１５】
図３は、棟両側の最上部の桟瓦１１間に粘土１２を載せ、その上に図２に示すのし瓦６をリブ７に横溝９が嵌合するようにして３段にのし積みし、更にその上に雁振り瓦１３を載せ付けて針金等で止着して固定してなるものである。図中、１４は面戸瓦である。
【００１６】
本実施形態ののし瓦によると、強い横振れがあってもリブ８は、長手方向の圧縮強度が大であるため、破損して瓦がずれるおそれがないこと、リブによりのし瓦の強度が増すため、運搬時や施工時に割れを生ずるおそれがないこと、半割りにして使用する場合も、リブは細いため割り溝で割ることが困難でないこと等の効果を奏する。
【００１７】
図４に示すのし瓦１６は、図２に示すのし瓦６において、リブ８を中央部で分断した形態をなすリブ１７を左右対称形に突設すると共に、上気リブ１７に対応する箇所に中央部で分断した形態をなす横溝１８を左右対称形に形成したものである。
【００１８】
本実施形態ののし瓦１６によると、各リブ１７に横溝１８をそれぞれ嵌合させてのし積みすることにより、またのし瓦１６を半割にして、のし積みした場合でも、リブ１７が横溝１８に嵌合することにより半割瓦の横ずれが同様にして防止できると共に、半割りするのも既存ののし瓦と同様、割り溝１９で容易にできる。なお、本実施形態において瓦表面には、横溝１８が中央部で分断した状態をなして形成されているが、図２に示すのし瓦６と同様、連続して形成してもよい。
【００１９】
図５に示すのし互２１は、図４に示すのし互１６において、横溝１８を設ける代わりに横溝１８の両端に対応する箇所にそれぞれリブ１７の横方向の動きを規制する突部２２を左右に一対ずつ対称形に設けたものである。図中、２３は中央部に縦方向に形成した割溝である。
【００２０】
本実施形態ののし瓦２１によると、図６に示すように、突部２２がリブ１７の両側に位置するようにのし積みすることにより、或いはまた、のし瓦２１を割り溝２３で半割にしてのし積みした場合でも突部２２がリブ１７の両側に位置するようにのし積みすることにより、半割瓦の横ずれを同様にして防止することができる。
【００２１】
図７に示すのし瓦２５は、図５に示すのし互において、リブ１７に突部２２が嵌合可能な凹部２６を設けたものである。この凹部２６は図示する例では、リブ１７の一箇所に設けられているが、複数箇所に設けてもよい。
【００２２】
図８は、図７に示すのし瓦２５を用い、これを割り溝２３で半割にして突部２２が凹部２６に嵌合するようにして位置をずらし、段積みにして、その上に雁振り瓦１３を載せ付けて針金等で止着して固定したものである。
【図面の簡単な説明】
【００２３】
【図１】従来ののし瓦の部分断面斜視図。
【図２】本発明に係わるのし瓦の部分断面斜視図。
【図３】図２に示すのし瓦をのし積みしたときの断面図。
【図４】本発明に係わるのし瓦の別の例を示す部分断面斜視図。
【図５】本発明に係るのし瓦の更に別の例を示す部分断面斜視図。
【図６】図５に示すのし瓦を段積みしたときの断面図。
【図７】本発明に係るのし瓦の他の例を示す断面図。
【図８】図７に示すのし瓦を半割にして段積みしたときの断面図。
【符号の説明】
【００２４】
１、６、１１、１６、２１、２５・・のし瓦
２・・凸条
３・・凹条
４、１９、２３・・割り溝
８、１７・・リブ
９、１８・・横溝
１２・・粘土
１３・・雁振り瓦
１４・・面戸瓦
２２・・突部
２６・・凹部
【図１】
2005054439.tif 000003
【図２】
2005054439.tif 000004
【図３】
2005054439.tif 000005
【図４】
2005054439.tif 000006
【図５】
2005054439.tif 000007
【図６】
2005054439.tif 000008
【図７】
2005054439.tif 000009
【図８】
2005054439.tif 000010